(57)【要約】      （修正有）【課題】バルブの開口の大きさをフレキシブルに制御可能で、設定された開口を介して挿入される機器、または対象物に対しシールが形成されるようなアクセスバルブを提供する。【解決手段】腹腔鏡装置あるいはルーメン内配置装置用のアクセスバルブ２は、軸方向開口３を具備する円筒状ダイアフラム８と、前記円筒状ダイアフラムの周囲を円周に沿って巻かれるフレキシブル部材１４とを備え、ロータリアクチュエータ１２を回転させることにより、前記フレキシブル部材１４を半径方向あるいは接線方向に締め上げ、前記軸方向開口３を少なくとも部分的に閉鎖させる伸縮構造とを有する【選択図】図１
2010048419.tif 000002
【特許請求の範囲】
【請求項１】
円筒状ハウジングと、
該円筒状ハウジング内に配置され、その中を長軸方向に伸びる開口を有する、弾性材料から形成された円筒状ダイアフラムと、
前記円筒状ダイアフラムの周囲を円周方向に少なくとも一回に巻回するフレキシブル部材で、該円筒状ダイアフラムから接線方向に延びる両端部分を有するフレキシブル部材と、
前記円筒状ハウジングに形成され、前記フレキシブル部材の前記両端部分をそれぞれ半径方向外側に通す一対の開口と、
前記円筒状ハウジングの周りに配置され、前記フレキシブル部材の両端部がそれぞれ結合されたロータリーアクチュエータと
を有し、
前記円筒状ハウジングに対するロータリアクチュエータの相対的回転により、前記フレキシブル部材が前記開口を通して引っ張られ、前記ダイアフラムを収縮させ、前記円筒状ダイアフラムの開口を少なくとも部分的に閉塞する
ことを特徴とするアクセスバルブ。
【請求項２】
前記ロータリアクチュエータが、前記円筒状ハウジングの外周面に略接するようにされた内周面を有し、該ロータリアクチュエータが円筒状ハウジングに対して相対的に回転することにより、前記フレキシブル部材が円筒状ハウジングの外周面とロータリアクチュエータの内周面との間で円筒状ハウジングの外周面状に捲かれるようにしながら前記開口を通して引き出されるようにした請求項１に記載のアクセスバルブ。
【請求項３】
円筒状ダイアフラムは、ロータリアクチュエータが回転される前の元の位置にもとされると、当該円筒状ダイアフラムの弾性により、収縮された状態から元の形状に戻るようにされている請求項２に記載のアクセスバルブ。
【請求項４】
前記ロータリアクチュエータは、前記ロータリアクチュエータから円筒状ハウジングを介して円筒状ダイアフラムに伸びるフレキシブル部材により、円筒状ハウジング上の位置に保持される
ことを特徴とする請求項１記載のアクセスバルブ。
【請求項５】
前記ロータリアクチュエータは、円筒状ハウジング上あるいは円筒状ダイアフラムの半径方向のフランジにより、円筒状ハウジング上の位置に保持されることを特徴とする請求項１記載のアクセスバルブ。
【請求項６】
前記円筒状ダイアフラムは、シリコンラバーから構成されることを特徴とする請求項１記載のアクセスバルブ。
【請求項７】
前記円筒状ダイアフラム上に、前記フレキシブル部材をガイドするリセスをさらに具備することを特徴とする請求項１記載のアクセスバルブ。
【請求項８】
前記ロータリアクチュエータと円筒状ハウジングとの間に、ボールと回り止めの構成を更に有することを特徴とする請求項６記載のアクセスバルブ。
【請求項９】
請求項１記載のアクセスバルブが、腹腔鏡装置のアクセス部位に搭載されることを特徴とする請求項１記載のアクセスバルブ。
【請求項１０】
請求項１記載のアクセスバルブが、プロテーゼ分配装置上に搭載されることを特徴とする請求項１記載のアクセスバルブ。
【請求項１１】
シール機能を補助するために、アクセスバルブ内に開口付きダイアフラムシールをさらに具備することを特徴とする請求項１記載のアクセスバルブ。
【発明の詳細な説明】
【技術分野】
【０００１】
本発明は、医療装置、特に、流体制御バルブあるいはアクセスバルブに関し、更に締め付け（収縮）型のアクセスバルブに関する。
【背景技術】
【０００２】
締め付け（収縮）型のアクセスバルブについては、これまで種々開発されてきている。
【発明の概要】
【発明が解決しようとする課題】
【０００３】
本発明の目的は、バルブの開口の大きさを変化させフレキシブルとなるよう制御可能で、その結果アクセスバルブを介して挿入される機器あるいは他の対象物に対しシールが形成されるようなアクセスバルブを提供することである。
【課題を解決するための手段】
【０００４】
前記課題を解決するために、本発明の一形態によれば、本発明は請求項１に記載のとうりである。即ち本発明はその中を長軸方向に伸びる開口を有する円筒状ダイアフラムと、前記円筒状ダイアフラムの周囲を円周方向に通り、そこから半径方向あるいは接線方向に伸びるフレキシブル部材と、前記長軸方向に伸びる開口を少なくとも部分的に閉塞するために、前記ダイアフラムを収縮させるために、前記フレキシブル部材を半径方向あるいは接線方向に引っ張る伸縮装置とを有することを特徴とするアクセスバルブである。
【０００５】
本発明によれば、円筒状のダイアフラムの外側表面にあるフレキシブル部材を引っ張ることによる締め付けにより円筒状バルブ部材の開口を閉塞するような構成が提供できる。フレキシブル部材を半径方向に及び／又は接線方向にどの程度引っ張るかによって、円筒状ダイアフラムが完全に締め付けられて流体がバルブを通して流れなくなるかあるいはバルブを貫通する機器（例えばカテーテル）の周囲まで閉塞するよう締め付けられる。
【０００６】
本発明の好ましい実施例によれば、円筒状ダイアフラムは、ほぼ円筒状のハウジング内に収納され支持される。開口が円筒状ハウジング内に形成され、そこを通してフレキシブル部材が延在し、ある形状のアクチュエータが円筒状ハウジングの周囲に搭載されたフレキシブル部材を引っ張るために配置される。
【０００７】
好ましくは円筒状ダイアフラムは、柔軟性材料から形成され、フレキシブル部材の締め付けと解放の後、バルブは再度開く。
【０００８】
本発明の好ましい実施例においては、フレキシブル部材は、その一端から引っ張られ、その他端で円筒状ハウジングに固定される。
【０００９】
別の構成として、フレキシブル部材はその両端でアクチュエータ装置に搭載され、フレキシブル部材を反対方向に同時に引っ張ることによりバルブを締め付けることができる。
【００１０】
本発明のアクセスバルブが医療装置に用いられる場合は、円筒状ハウジングは腹腔鏡装置のアクセスポイントに搭載される。本発明のアクセスバルブを介して腹腔鏡装置を挿入する必要が生じた場合には、本発明のアクセスバルブはその医療装置が挿入できるよう十分に開き、その後医療装置の周りまで収縮して（締め付けられて）、医療装置の動作中、体腔内から血液あるいは膨張ガスが失われるのを阻止する。
【００１１】
別の構成として円筒状ハウジングは、プロテーゼ分配用カテーテル上に搭載し、アクセスバルブをプロテーゼ分配用装置の周囲まで閉じるように構成することもできる。
【００１２】
本発明の一実施例においては、伸縮装置はフレキシブル部材を引っ張るようなアクチュエータであり、このアクチュエータが円筒状ハウジングに搭載される。
【００１３】
本発明の好ましい実施例においては、フレキシブル部材を引っ張るアクチュエータはロータリアクチュエータであり、フレキシブル部材のそれぞれの端部はこのロータリアクチュエータに結合され、それにより円筒状ハウジングに対しロータリアクチュエータを回転させることによりフレキシブル部材が引っ張られバルブを締め付ける（閉じる）。
【００１４】
ロータリアクチュエータは、ロータリアクチュエータから伸び円筒状ハウジングを通るフレキシブル部材によりその場所に維持される。別の構成としてロータリアクチュエータは、円筒状ハウジングの半径方向のフランジあるいは円筒状ダイアフラムにより保持される。更に別の構成としてロータリアクチュエータは、ボール／回転防止構造（以下詳述する）により円筒状ハウジング上に保持される。
【００１５】
本発明の好ましい形態においては、バルブの円筒状ダイアフラムはシリコンラバーのようなエラストマ性材料から形成される。
【００１６】
フレキシブル部材は、ひも、縫合糸、バンドあるいは他の適宜の材料でもよい。
【００１７】
ロータリアクチュエータは、アクチュエータと円筒状ハウジングとの間の回り止め内にボールあるいは他の装置を組み込むことにより、その動作の触覚な指示を有する。ボールあるいは他の装置を回り止め構造内に組み込むことは、スプリング負荷により行われる。ボールあるいは他の装置をロータリアクチュエータ内に搭載し、円筒状ハウジング内の円周方向の溝内を移動するようにしてもよい。これはロータリアクチュエータを円筒状ハウジングに保持することにより補助される。
【００１８】
ロータリアクチュエータは、中央停止位置から一方向あるいは両方向に３０°から９０°の角度で回転可能となり、これによりフレキシブル部材が引っ張られ、そして円筒状ダイアフラムが締め付けられる。
【００１９】
本発明の好ましい実施例においては、分配用カテーテルあるいは他の医療装置まで閉鎖するのを補助するために、バルブ内に追加的な開口付きダイアフラムを具備してもよい。
【００２０】
本発明の他の実施例においては、本発明は請求項１８に記載のとうりである。即ち本発明は、腹腔鏡装置上のアクセスポートにおいて、その中を長軸方向に伸びる開口を有する円筒状ダイアフラムと、前記円筒状ダイアフラムの周囲を円周方向に通り、そこから半径方向あるいは接線方向に伸びるフレキシブル部材と、アクセスポートを介して前記長軸方向に伸びる開口を少なくとも部分的に閉塞するために、前記ダイアフラムを収縮させるために、前記フレキシブル部材を半径方向あるいは接線方向に引っ張る伸縮装置とを有することを特徴とするアクセスポートにある。
【００２１】
本発明の他の形態においては、本発明は請求項１９に記載のとうりである。即ち本発明は、カテーテルを有するルーメン内の配置装置上のアクセスバルブにおいて、前記カテーテルは、その近位部にアクセスポイントを有し、前記アクセスポイントは、前記配置装置又はプロテーゼの挿入用であり、かつ前記アクセスポイントを閉鎖するアクセスバルブの挿入用であり、その中を長軸方向に伸びる開口を有する円筒状ダイアフラムと、前記円筒状ダイアフラムの周囲を円周方向に通り、そこから半径方向あるいは接線方向に伸びるフレキシブル部材と、バルブ構造内の前記長軸方向に伸びる開口を少なくとも部分的に
閉塞するために、前記ダイアフラムを収縮させるために、前記フレキシブル部材を半径方向あるいは接線方向に引っ張る伸縮装置とを有することを特徴とするアクセスバルブにある。
【図面の簡単な説明】
【００２２】
【図１】本発明による収縮バルブの一実施例の断面図。
【図２】バルブが部分的に収縮した状態の図１の断面図。
【図３】図１の線３−３’に沿った断面図。
【図４】図１の線４−４’に沿った断面図。
【図５】本発明による収縮バルブを含む分配用カテーテルの斜視図。
【図６】本発明によるスリット付きのダイアフラムを含む収縮バルブの他の実施例を表す図。
【発明を実施するための最良の形態】
【００２３】
図１−５にはカテーテル本体４に搭載されるアクセスバルブ２が示されている。アクセスバルブ２は円筒状ハウジング６を有し、この円筒状ハウジング６内にエラストマ製の円筒状ダイアフラム８が収納されている。円筒状ダイアフラム８が円筒状の開口３を形成する。カテーテル本体４に最も近い円筒状ダイアフラム８の端部は、外側に伸びる半径方向のフランジ１０を有し、このフランジ１０が円筒状ハウジング６の手段によりカテーテル本体４の端部にクランプされている。円筒状ハウジング６のフランジ７は、カテーテル本体４内のスロット９に収納され、アクセスバルブ２をカテーテル本体４に取り付けシールしている。ロータリアクチュエータ１２が円筒状ハウジング６の上に搭載され、円筒状ダイアフラム８の外側端部から伸びるフランジ１１によりその位置に保持される。ひも１４はロータリアクチュエータ１２にその一端でノット１６により固定され、その後円筒状ハウジング６内の開口２０を貫通し、更にリセス領域２２内で円筒状ダイアフラム８の周囲を好ましくは２回周り、その後円筒状ハウジング６の開口２４を貫通し、そしてノット１８によりロータリアクチュエータ１２に再び固定される。ロータリアクチュエータ１２を円筒状ハウジング６に対し回転させることにより、ひも１４は一度に両方向に引っ張られ、それにより円筒状ダイアフラム８が締め付けられる。
【００２４】
ロータリアクチュエータ１２の内側円筒状表面１３は円周方向溝１５を有し、ロータリアクチュエータ１２が回転すると、この円周方向溝１５により、ひも１４は円筒状ハウジング６の外側周囲に延在する。別の構成として円筒状ハウジング６はその外側表面に円周方向溝を有し、これによりロータリアクチュエータ１２が回転すると、円筒状ハウジング６の外側周囲にひも１４が延在するようにしてもよい。
【００２５】
図３，４に特に示すように、ロータリアクチュエータ１２の開口３０内に配置されたスプリング２９により負荷が加えられたボール２８を有する回り止め構造が、円筒状ハウジング６の開口３０内に配置される。溝３２は中央部リセス３４と端部リセス３６を有する。更にリセスあるいは回り止め構造が、中央部リセス３４と端部リセス３６との間にあってもよい。ロータリアクチュエータ１２は、締め付けバルブを締め付けるためにはいずれの方向にも回転してもよく、回り止めがバルブの動作の接触感覚を与える。
【００２６】
特に図４に示すように、ロータリアクチュエータ１２が約４５°回転すると、フレキシブル部材であるひも１４は両方向に接線方向で引っ張られ、円筒状ダイアフラム８は半径方向内側に伸び（即ち収縮し）バルブは部分的に閉鎖する。ロータリアクチュエータ１２が回転して中央位置（回り止め用のボール２８が中央部リセス３４内に収納される場所）にくると、ひもは再び緩み、弾性のある円筒状ダイアフラム８は、図１，３に示すように元の形状を採る。円筒状ダイアフラム８の周囲にフレキシブル部材であるひも１４が巻回される数に応じて、バルブを完全に閉じるようにするためには、ロータリアクチュエータ１２の回転はいずれの方向に最大９０°あるいはそれ以上である。
【００２７】
図６に示す収縮（締め付け）バルブの実施例においては、上記で議論したバルブの封止動作は、円筒状ハウジング６とカテーテル本体４との間にクランプされた開口付きダイアフラム４０の手段によっても補助される。開口付きダイアフラム４０は、開口あるいは完全に通過するスリット４１、又は両側から直角に交差する半分のスリット４１，４３を有し、これによりバルブが開いて医療機器が通過する間、追加的なシールを提供する。開口付きダイアフラム４０はシリコンラバーから形成してもよく、又円筒状ダイアフラム８と一体にあるいは別個に形成してもよい。
【００２８】
この実施形態においては、ロータリアクチュエータ１２は半径方向外側に伸びるフランジ４２により保持される。別の構成としてフランジ４２は、ロータリアクチュエータ１２の内側円筒状表面１３上の溝に係合するよう配置することもできる。ロータリアクチュエータ１２は、フランジ４２を越えるように押して、保持位置とすることができる。
【００２９】
以上本発明によれば、バルブを通過する機器の直径の範囲まで閉鎖する、あるいは自己シーリングを行うために完全に閉鎖するようなアクセスバルブあるいは収縮バルブ構造が提供できる。
【００３０】
本明細書を通じて様々な示唆が本発明の範囲として示されたが、本発明はこれらに必ずしも限定されるものではなく、複数の組み合わされたものでもよい。上記の実施例は単なる例示であり、本発明の範囲を制限するよう解釈すべきではない。
【符号の説明】
【００３１】
２  アクセスバルブ
３  開口
４  カテーテル本体
６  円筒状ハウジング
７  フランジ
８  円筒状ダイアフラム
９  スロット
１０  フランジ
１１  フランジ
１２  ロータリアクチュエータ
１３  内側円筒状表面
１４  ひも
１５  円周方向溝
１６  ノット
１８  ノット
２０  開口
２２  リセス領域
２４  開口
２６  端部リセス
２８  ボール
２９  スプリング
３０  開口
３２  溝
３４  中央部リセス
４０  開口付きダイアフラム
４１  スリット
４２  フランジ
４３  スリット
３６  リセス
【図１】
2010048419.tif 000003
【図２】
2010048419.tif 000004
【図３】
2010048419.tif 000005
【図４】
2010048419.tif 000006
【図５】
2010048419.tif 000007
【図６】
2010048419.tif 000008
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
円筒状ハウジングと、
該円筒状ハウジング内に配置され、その中を長軸方向に伸びる開口を有する、弾性材料から形成された円筒状ダイアフラムと、
前記円筒状ダイアフラムの周囲を円周方向に少なくとも一回巻回するフレキシブル部材で、該円筒状ダイアフラムから接線方向に延びる両端部分を有するフレキシブル部材と、
前記円筒状ハウジングに形成され、前記フレキシブル部材の前記両端部分をそれぞれ半径方向外側に通す一対の開口と、
前記円筒状ハウジングの周りに配置され、前記フレキシブル部材の両端部がそれぞれ結合されたロータリアクチュエータと
を有し、
前記円筒状ハウジングに対するロータリアクチュエータの相対的回転により、前記フレキシブル部材が前記開口を通して引っ張られ、前記ダイアフラムを収縮させ、前記円筒状ダイアフラムの開口を少なくとも部分的に閉塞する
ことを特徴とするアクセスバルブ。
【請求項２】
前記ロータリアクチュエータが、前記円筒状ハウジングの外周面に略接するようにされた内周面を有し、該ロータリアクチュエータが円筒状ハウジングに対して相対的に回転することにより、前記フレキシブル部材が円筒状ハウジングの外周面とロータリアクチュエータの内周面との間で円筒状ハウジングの外周面状に捲かれるようにしながら前記開口を通して引き出されるようにした請求項１に記載のアクセスバルブ。
【請求項３】
円筒状ダイアフラムは、ロータリアクチュエータが回転される前の元の位置にもとされると、当該円筒状ダイアフラムの弾性により、収縮された状態から元の形状に戻るようにされている請求項２に記載のアクセスバルブ。
【請求項４】
前記ロータリアクチュエータは、前記ロータリアクチュエータから円筒状ハウジングを介して円筒状ダイアフラムに伸びるフレキシブル部材により、円筒状ハウジング上の位置に保持される
ことを特徴とする請求項１記載のアクセスバルブ。
【請求項５】
前記ロータリアクチュエータは、円筒状ハウジング上あるいは円筒状ダイアフラムの半径方向のフランジにより、円筒状ハウジング上の位置に保持されることを特徴とする請求項１記載のアクセスバルブ。
【請求項６】
前記円筒状ダイアフラムは、シリコンラバーから構成されることを特徴とする請求項１記載のアクセスバルブ。
【請求項７】
前記円筒状ダイアフラム上に、前記フレキシブル部材をガイドするリセスをさらに具備することを特徴とする請求項１記載のアクセスバルブ。
【請求項８】
前記ロータリアクチュエータと円筒状ハウジングとの間に、ボールと回り止めの構成を更に有することを特徴とする請求項１記載のアクセスバルブ。
【請求項９】
請求項１記載のアクセスバルブが、腹腔鏡装置のアクセス部位に搭載されることを特徴とする請求項１記載のアクセスバルブ。
【請求項１０】
請求項１記載のアクセスバルブが、プロテーゼ分配装置上に搭載されることを特徴とする請求項１記載のアクセスバルブ。
【請求項１１】
シール機能を補助するために、アクセスバルブ内に開口付きダイアフラムシールをさらに具備することを特徴とする請求項１記載のアクセスバルブ。
【手続補正２】
【補正対象書類名】明細書
【補正対象項目名】全文
【補正方法】変更
【補正の内容】
【発明の詳細な説明】
【技術分野】
【０００１】
本発明は、医療装置、特に、流体制御バルブあるいはアクセスバルブに関し、更に締め付け（収縮）型のアクセスバルブに関する。
【背景技術】
【０００２】
締め付け（収縮）型のアクセスバルブについては、これまで種々開発されてきている。
【発明の概要】
【発明が解決しようとする課題】
【０００３】
本発明の目的は、バルブの開口の大きさを変化させフレキシブルとなるよう制御可能で、その結果アクセスバルブを介して挿入される機器あるいは他の対象物に対しシールが形成されるようなアクセスバルブを提供することである。
【課題を解決するための手段】
【０００４】
前記課題を解決するために、本発明の一形態によれば、本発明は請求項１に記載のとうりである。即ち本発明はその中を長軸方向に伸びる開口を有する円筒状ダイアフラムと、前記円筒状ダイアフラムの周囲を円周方向に通り、そこから半径方向あるいは接線方向に伸びるフレキシブル部材と、前記長軸方向に伸びる開口を少なくとも部分的に閉塞するために、前記ダイアフラムを収縮させるために、前記フレキシブル部材を半径方向あるいは接線方向に引っ張る伸縮装置とを有することを特徴とするアクセスバルブである。
【０００５】
本発明によれば、円筒状のダイアフラムの外側表面にあるフレキシブル部材を引っ張ることによる締め付けにより円筒状バルブ部材の開口を閉塞するような構成が提供できる。フレキシブル部材を半径方向に及び／又は接線方向にどの程度引っ張るかによって、円筒状ダイアフラムが完全に締め付けられて流体がバルブを通して流れなくなるかあるいはバルブを貫通する機器（例えばカテーテル）の周囲まで閉塞するよう締め付けられる。
【０００６】
本発明の好ましい実施例によれば、円筒状ダイアフラムは、ほぼ円筒状のハウジング内に収納され支持される。開口が円筒状ハウジング内に形成され、そこを通してフレキシブル部材が延在し、ある形状のアクチュエータが円筒状ハウジングの周囲に搭載されたフレキシブル部材を引っ張るために配置される。
【０００７】
好ましくは円筒状ダイアフラムは、弾性材料から形成され、フレキシブル部材の締め付けと解放の後、バルブは再度開く。
【０００８】
本発明の好ましい実施例においては、フレキシブル部材は、その一端から引っ張られ、その他端で円筒状ハウジングに固定される。
【０００９】
別の構成として、フレキシブル部材はその両端でアクチュエータ装置に搭載され、フレキシブル部材を反対方向に同時に引っ張ることによりバルブを締め付けることができる。
【００１０】
本発明のアクセスバルブが医療装置に用いられる場合は、円筒状ハウジングは腹腔鏡装置のアクセスポイントに搭載される。本発明のアクセスバルブを介して腹腔鏡装置を挿入する必要が生じた場合には、本発明のアクセスバルブはその医療装置が挿入できるよう十分に開き、その後医療装置の周りまで収縮して（締め付けられて）、医療装置の動作中、体腔内から血液あるいは膨張ガスが失われるのを阻止する。
【００１１】
別の構成として円筒状ハウジングは、プロテーゼ分配用カテーテル上に搭載し、アクセスバルブをプロテーゼ分配用装置の周囲まで閉じるように構成することもできる。
【００１２】
本発明の一実施例においては、伸縮装置はフレキシブル部材を引っ張るようなアクチュエータであり、このアクチュエータが円筒状ハウジングに搭載される。
【００１３】
本発明の好ましい実施例においては、フレキシブル部材を引っ張るアクチュエータはロータリアクチュエータであり、フレキシブル部材のそれぞれの端部はこのロータリアクチュエータに結合され、それにより円筒状ハウジングに対しロータリアクチュエータを回転させることによりフレキシブル部材が引っ張られバルブを締め付ける（閉じる）。
【００１４】
ロータリアクチュエータは、ロータリアクチュエータから伸び円筒状ハウジングを通るフレキシブル部材によりその場所に維持される。別の構成としてロータリアクチュエータは、円筒状ハウジングの半径方向のフランジあるいは円筒状ダイアフラムにより保持される。更に別の構成としてロータリアクチュエータは、ボール／回転防止構造（以下詳述する）により円筒状ハウジング上に保持される。
【００１５】
本発明の好ましい形態においては、バルブの円筒状ダイアフラムはシリコンラバーのようなエラストマ性材料から形成される。
【００１６】
フレキシブル部材は、ひも、縫合糸、バンドあるいは他の適宜の材料でもよい。
【００１７】
ロータリアクチュエータは、アクチュエータと円筒状ハウジングとの間の回り止め内にボールあるいは他の装置を組み込むことにより、その動作の触覚な指示を有する。ボールあるいは他の装置を回り止め構造内に組み込むことは、スプリング負荷により行われる。ボールあるいは他の装置をロータリアクチュエータ内に搭載し、円筒状ハウジング内の円周方向の溝内を移動するようにしてもよい。これはロータリアクチュエータを円筒状ハウジングに保持することにより補助される。
【００１８】
ロータリアクチュエータは、中央停止位置から一方向あるいは両方向に３０°から９０°の角度で回転可能となり、これによりフレキシブル部材が引っ張られ、そして円筒状ダイアフラムが締め付けられる。
【００１９】
本発明の好ましい実施例においては、分配用カテーテルあるいは他の医療装置まで閉鎖するのを補助するために、バルブ内に追加的な開口付きダイアフラムを具備してもよい。
【００２０】
本発明の他の実施例においては、腹腔鏡装置上のアクセスポートにおいて、その中を長軸方向に伸びる開口を有する円筒状ダイアフラムと、前記円筒状ダイアフラムの周囲を円周方向に通り、そこから半径方向あるいは接線方向に伸びるフレキシブル部材と、アクセスポートを介して前記長軸方向に伸びる開口を少なくとも部分的に閉塞するために、前記ダイアフラムを収縮させるために、前記フレキシブル部材を半径方向あるいは接線方向に引っ張る伸縮装置とを有するアクセスバルブを提供する。
【００２１】
本発明の他の形態においては、カテーテルを有するルーメン内の配置装置上のアクセスバルブにおいて、前記カテーテルは、その近位部にアクセスポイントを有し、前記アクセスポイントは、前記配置装置又はプロテーゼの挿入用であり、かつ前記アクセスポイントを閉鎖するアクセスバルブの挿入用であり、その中を長軸方向に伸びる開口を有する円筒状ダイアフラムと、前記円筒状ダイアフラムの周囲を円周方向に通り、そこから半径方向あるいは接線方向に伸びるフレキシブル部材と、バルブ構造内の前記長軸方向に伸びる開口を少なくとも部分的に閉塞するために、前記ダイアフラムを収縮させるために、前記フレキシブル部材を半径方向あるいは接線方向に引っ張る伸縮装置とを有することを特徴とするアクセスバルブを提供する。
【図面の簡単な説明】
【００２２】
【図１】本発明による収縮バルブの一実施例の断面図。
【図２】バルブが部分的に収縮した状態の図１の断面図。
【図３】図１の線３−３’に沿った断面図。
【図４】図１の線４−４’に沿った断面図。
【図５】本発明による収縮バルブを含む分配用カテーテルの斜視図。
【図６】本発明によるスリット付きのダイアフラムを含む収縮バルブの他の実施例を表す図。
【発明を実施するための最良の形態】
【００２３】
図１−５にはカテーテル本体４に搭載されるアクセスバルブ２が示されている。アクセスバルブ２は円筒状ハウジング６を有し、この円筒状ハウジング６内にエラストマ製の円筒状ダイアフラム８が収納されている。円筒状ダイアフラム８が円筒状の開口３を形成する。カテーテル本体４に最も近い円筒状ダイアフラム８の端部は、外側に伸びる半径方向のフランジ１０を有し、このフランジ１０が円筒状ハウジング６の手段によりカテーテル本体４の端部にクランプされている。円筒状ハウジング６のフランジ７は、カテーテル本体４内のスロット９に収納され、アクセスバルブ２をカテーテル本体４に取り付けシールしている。ロータリアクチュエータ１２が円筒状ハウジング６の上に搭載され、円筒状ダイアフラム８の外側端部から伸びるフランジ１１によりその位置に保持される。ひも１４はロータリアクチュエータ１２にその一端でノット１６により固定され、その後円筒状ハウジング６内の開口２０を貫通し、更にリセス領域２２内で円筒状ダイアフラム８の周囲を好ましくは２回周り、その後円筒状ハウジング６の開口２４を貫通し、そしてノット１８によりロータリアクチュエータ１２に再び固定される。ロータリアクチュエータ１２を円筒状ハウジング６に対し回転させることにより、ひも１４は一度に両方向に引っ張られ、それにより円筒状ダイアフラム８が締め付けられる。
【００２４】
ロータリアクチュエータ１２の内側円筒状表面１３は円周方向溝１５を有し、ロータリアクチュエータ１２が回転すると、この円周方向溝１５により、ひも１４は円筒状ハウジング６の外側周囲に延在する。別の構成として円筒状ハウジング６はその外側表面に円周方向溝を有し、これによりロータリアクチュエータ１２が回転すると、円筒状ハウジング６の外側周囲にひも１４が延在するようにしてもよい。
【００２５】
図３，４に特に示すように、ロータリアクチュエータ１２の開口３０内に配置されたスプリング２９により負荷が加えられたボール２８を有する回り止め構造が、円筒状ハウジング６の開口３０内に配置される。溝３２は中央部リセス３４と端部リセス３６を有する。更にリセスあるいは回り止め構造が、中央部リセス３４と端部リセス３６との間にあってもよい。ロータリアクチュエータ１２は、締め付けバルブを締め付けるためにはいずれの方向にも回転してもよく、回り止めがバルブの動作の接触感覚を与える。
【００２６】
特に図４に示すように、ロータリアクチュエータ１２が約４５°回転すると、フレキシブル部材であるひも１４は両方向に接線方向で引っ張られ、円筒状ダイアフラム８は半径方向内側に伸び（即ち収縮し）バルブは部分的に閉鎖する。ロータリアクチュエータ１２が回転して中央位置（回り止め用のボール２８が中央部リセス３４内に収納される場所）にくると、ひもは再び緩み、弾性のある円筒状ダイアフラム８は、図１，３に示すように元の形状を採る。円筒状ダイアフラム８の周囲にフレキシブル部材であるひも１４が巻回される数に応じて、バルブを完全に閉じるようにするためには、ロータリアクチュエータ１２の回転はいずれの方向に最大９０°あるいはそれ以上である。
【００２７】
図６に示す収縮（締め付け）バルブの実施例においては、上記で議論したバルブの封止動作は、円筒状ハウジング６とカテーテル本体４との間にクランプされた開口付きダイアフラム４０の手段によっても補助される。開口付きダイアフラム４０は、開口あるいは完全に通過するスリット４１、又は両側から直角に交差する半分のスリット４１，４３を有し、これによりバルブが開いて医療機器が通過する間、追加的なシールを提供する。開口付きダイアフラム４０はシリコンラバーから形成してもよく、又円筒状ダイアフラム８と一体にあるいは別個に形成してもよい。
【００２８】
この実施形態においては、ロータリアクチュエータ１２は半径方向外側に伸びるフランジ４２により保持される。別の構成としてフランジ４２は、ロータリアクチュエータ１２の内側円筒状表面１３上の溝に係合するよう配置することもできる。ロータリアクチュエータ１２は、フランジ４２を越えるように押して、保持位置とすることができる。
【００２９】
以上本発明によれば、バルブを通過する機器の直径の範囲まで閉鎖する、あるいは自己シーリングを行うために完全に閉鎖するようなアクセスバルブあるいは収縮バルブ構造が提供できる。
【００３０】
本明細書を通じて様々な示唆が本発明の範囲として示されたが、本発明はこれらに必ずしも限定されるものではなく、複数の組み合わされたものでもよい。上記の実施例は単なる例示であり、本発明の範囲を制限するよう解釈すべきではない。
【符号の説明】
【００３１】
２  アクセスバルブ
３  開口
４  カテーテル本体
６  円筒状ハウジング
７  フランジ
８  円筒状ダイアフラム
９  スロット
１０  フランジ
１１  フランジ
１２  ロータリアクチュエータ
１３  内側円筒状表面
１４  ひも
１５  円周方向溝
１６  ノット
１８  ノット
２０  開口
２２  リセス領域
２４  開口
２６  端部リセス
２８  ボール
２９  スプリング
３０  開口
３２  溝
３４  中央部リセス
４０  開口付きダイアフラム
４１  スリット
４２  フランジ
４３  スリット
３６  リセス